(57)【要約】【課題】建物ユニットの躯体フレームに影響を与えることなく、現場での組付作業効率を向上させることができる空調用ダクトの設置構造を提供する。【解決手段】工場生産された建物ユニット１０と、建物ユニット１０の天井面材２６の裏面側に組み付けられる組付ダクト部４８、５０と、据付ダクト部５２と、を含んで構成する。据付ダクト部５２は、一端部が、組付ダクト部４８、５０に接続される嵌合部とされ、他端部が天井大梁１６の建物下方側を通り建物ユニット１０の外壁から外側に突出する直管部８０とされている。【選択図】図１
2018145628.tif 000002
【特許請求の範囲】
【請求項１】
エルボ部を有し、一端部が建物ユニットの天井面材の裏面側に臨み、組付ダクト部接続用の嵌合部とされ、他端部が天井大梁の建物下方側を通り前記建物ユニットの外壁から外側に突出される直管部とされ、前記建物ユニットに組み付けられた据付ダクト部を有する空調用ダクトの設置構造。
【請求項２】
前記組付ダクト部は、
前記建物ユニットの天井面材の裏面側に配設された天井小梁の建物上方側に配置され、一端部が前記天井面材に設けられた第１引込部から前記建物ユニット内に引き込まれた第１ダクト部と、
前記天井小梁の建物上方側に配置され、一端部が前記天井小梁の建物上方側で前記第１ダクト部の他端部と接続され、他端部が前記天井面材に設けられた第２引込部と対向され、前記第２引込部を介して前記嵌合部と接続された第２ダクト部と、
を含んで構成された請求項１に記載の空調用ダクトの設置構造。
【請求項３】
前記組付ダクト部は、前記第１引込部の近傍で前記第１ダクト部と前記天井小梁との間に配置された第１スペーサと、
前記第１スペーサよりも厚さを薄くされ、前記第２引込部の近傍で前記第２ダクト部と前記天井小梁との間に配置された第２スペーサと、
を有する請求項２に記載の空調用ダクトの設置構造。
【請求項４】
前記建物ユニットの内部に露出されている前記据付ダクト部を収納する収納部を備えた室内造作物が前記建物ユニットの内部に組み付けられた請求項１〜請求項３のいずれか１項に記載の空調用ダクトの設置構造。
【請求項５】
前記建物ユニットは、工場生産され、
前記据付ダクト部は、前記建物ユニットの前記工場生産段階において、前記建物ユニットに組み付けられ、
前記組付ダクト部は、建築現場における前記建物ユニットの据付け時において、前記天井面材の裏面側で前記据付ダクト部の前記嵌合部と接続されると共に、当該天井面材の裏面側に組み付けられた請求項１〜請求項４のいずれか１項に記載の空調用ダクトの設置構造。
【発明の詳細な説明】
【技術分野】
【０００１】
本発明は、空調用ダクトの設置構造に関する。
【背景技術】
【０００２】
下記特許文献１には、天井面材の裏面側に配置された空調用ダクトを仮止めするために用いられる空調用ダクト仮止め用治具及び建物ユニットの運搬方法が示されている。簡単に説明すると、予め工場内で天井面材の裏面側に空調用ダクトを配策し、当該空調用ダクトをハット形状の仮止め冶具で天井小梁に着脱可能に仮止めするというものである。
【０００３】
上記構成によれば、空調用ダクトは、建物ユニットの天井面材の裏面側に配策されると共に仮止め冶具を用いて天井小梁に着脱可能に仮止めされた状態で、建築現場まで運搬される。その後、一階の建物ユニットを据え付けた後に、仮止め冶具が取り外される。これにより、建物ユニットの運搬中に空調用ダクトが移動して損傷することを防止することができる。
【先行技術文献】
【特許文献】
【０００４】
【特許文献１】特許第５２７５６７０号公報
【発明の概要】
【発明が解決しようとする課題】
【０００５】
しかしながら、特許文献１に記載された空調用ダクト仮止め用治具及び建物ユニットの運搬方法による場合、天井大梁に空調用ダクトを挿通させる配管穴を形成する構成とされているため、建物ユニットの強度が低下する。このため、天井大梁の板厚を厚くする等の対策が必要になる。
【０００６】
本発明は上記事実を考慮し、天井面材の裏面側に空調用ダクトが配策される場合において、建物ユニットの躯体フレームに影響を与えることなく、現場での組付作業効率を向上させることができる空調用ダクトの設置構造を得ることを目的とする。
【課題を解決するための手段】
【０００７】
第１の態様に係る空調用ダクトの設置構造は、エルボ部を有し、一端部が建物ユニットの天井面材の裏面側に臨み、組付ダクト部接続用の嵌合部とされ、他端部が天井大梁の建物下方側を通り前記建物ユニットの外壁から外側に突出される直管部とされ、前記建物ユニットに組み付けられた据付ダクト部を有する。
【０００８】
第１の態様に係る空調用ダクトの設置構造は、建物ユニットの外側に接続する据付ダクト部が、天井大梁の建物下方側を通り建物ユニットの外壁から外側に突出するように建物ユニットに据付けられているため、ダクトが天井大梁を貫通することはない。このため、建物ユニットの躯体フレームに強度上の影響を与えることなく空調用ダクトを設置することができる。
【０００９】
また、第１の態様によれば、空調用ダクトが、組付ダクト部とこの組付けダクト部と接続されかつ室内側を通り建物ユニットの外壁から外側に突出される据付ダクト部を含んで構成される。これにより、組付ダクト部及び据付ダクト部は、独立して建物ユニットに組み付けることができるため、現場での空調用ダクトの組付作業効率を向上することができる。
【００１０】
第２の態様に係る空調用ダクトの設置構造は、第１の態様において、前記組付ダクト部は、前記建物ユニットの天井面材の裏面側に配設された天井小梁の建物上方側に配置され、一端部が前記天井面材に設けられた第１引込部から前記建物ユニット内に引き込まれた第１ダクト部と、前記天井小梁の建物上方側に配置され、一端部が前記天井小梁の建物上方側で前記第１ダクト部の他端部と接続され、他端部が前記天井面材に設けられた第２引込部と対向され、前記第２引込部を介して前記嵌合部と接続された第２ダクト部と、を含んで構成されている。
【００１１】
第２の態様に係る空調用ダクトの設置構造によれば、組付ダクト部が第１ダクト部及び第２ダクト部を含んで構成されているため、第１引込部側での位置調整が必要な第１ダクト部の組付作業と、第２引込部側での位置調整が必要な第２ダクト部の組付作業とを並行して行うことができる。このため、空調用ダクトの設置作業の作業時間を短縮することができる。
【００１２】
第３の態様に係る空調用ダクトの設置構造は、第２の態様において、前記組付ダクト部は、前記第１引込部の近傍で前記第１ダクト部と前記天井小梁との間に配置された第１スペーサと、前記第１スペーサよりも厚さを薄くされ、前記第２引込部の近傍で前記第２ダクト部と前記天井小梁との間に配置された第２スペーサと、を有している。
【００１３】
第３の態様に係る空調用ダクトの設置構造によれば、第２スペーサの厚さを第１スペーサの厚さよりも薄くされて、空調用ダクトと天井小梁との間に配置されることより、第１ダクト部から第２ダクト部に向けて建物上下方向下向きの勾配が設けられる。このため、建物ユニット内部に引き込まれた第１ダクト部から建物上方へ向けて排出される排気は、第１ダクト部から第２ダクト部及び据付ダクト部を経て建物ユニットの外部に排気される。これにより、建物ユニットの内部から排出された水分及び油分を含む排気が空調用ダクト内で滞留又は逆流することなく建物ユニットの外部に安定して排出され、しかも雨水の建物ユニット外部からの流入を防止することができる。
【００１４】
第４の態様に係る空調用ダクトの設置構造は、第１の態様〜第３の態様のいずれか一態様において、前記建物ユニットの内部に露出されている前記据付ダクト部を収納する収納部を備えた室内造作物が前記建物ユニットの内部に組み付けられている。
【００１５】
第４の態様に係る空調用ダクトの設置構造によれば、建物ユニットの内部に露出されている据付ダクト部を収納する収納部を備えた室内造作物を建物ユニットの内部に組み付けることにより、据付ダクト部を安定して支持することができ、しかも据付ダクト部のエルボ部が建物ユニットの内部から視認できないため建物ユニットの内部の美観を保つことができる。
【００１６】
第５の態様に係る空調用ダクトの設置構造は、第１の態様〜第４の態様のいずれか一態様において、前記建物ユニットは、工場生産され、前記据付ダクト部は、前記建物ユニットの前記工場生産段階において、前記建物ユニットに組み付けられ、前記組付ダクト部は、建築現場における前記建物ユニットの据付け時において、前記天井面材の裏面側で前記据付ダクト部の前記嵌合部と接続されると共に、当該天井面材の裏面側に組み付けられている。
【００１７】
第５の態様に係る空調用ダクトの設置構造によれば、エルボ部を有し、組み付け及び調整に作業時間を要する据付ダクト部を建物ユニットの製造時に予め据付けることにより、建築現場で空調用ダクトを建物ユニットに組み付ける際の作業時間を短縮することができる。また、建築現場では、予め組み立てられた組付ダクト部を建物ユニット及び据付ダクト部に組み付ければよいため、簡易に空調用ダクトを建物ユニットに組み付けることができる。
【００１８】
また、第５の態様によれば、天井面材の裏面側に組み付けられる組付ダクト部は、建物ユニットの建築現場への搬送時には建物ユニットに組み付けられていない。このため、車両に建物ユニットを積載して搬送する際に、ダクトを保護部材で覆う必要がないため、積載物の高さ制限も満たすことができる。
【発明の効果】
【００１９】
以上説明したように、本発明に係る空調用ダクトの設置構造は、天井面材の裏面側に空調用ダクトが配策される場合において、建物ユニットの躯体フレームに影響を与えることなく、現場での組付作業効率を向上させることができるという優れた効果を有する。
【図面の簡単な説明】
【００２０】
【図１】本実施形態に係る空調用ダクトの設置構造を備えた建物ユニットの概略斜視図である。
【図２】（Ａ）は図１に示される空調用ダクトの側面図であり、（Ｂ）はその平面図である。
【図３】図１に示される空調用ダクトの分解側面図である。
【発明を実施するための形態】
【００２１】
以下、図１〜図３を用いて、本発明に係るユニット建物の一実施形態について説明する。
【００２２】
図１には、ユニット建物を構成する建物ユニット１０の斜視図が示されている。この図に示されるように、建物ユニット１０は、四隅に立設された４本の外柱１４と、これらの外柱１４の下端部同士を連結する矩形枠状の床フレーム２０と、外柱１４の上端部同士を連結する矩形枠状の天井フレーム２２と、によって箱型に構成されている。なお、外柱１４には、方形の鋼管柱が用いられている。
【００２３】
天井フレーム２２は、長辺側に配置された一対の桁側天井大梁１６Ａと、短辺側に配置された一対の妻側天井大梁１６Ｂと、一対の桁側天井大梁１６Ａ間に架け渡された複数本の天井小梁２８と、を含んで構成されている。なお、桁側天井大梁１６Ａ、床側天井大梁１６Ｂはいずれも溝形鋼とされており、両者を区別する必要がない場合は「天井大梁１６」と総称することにする。また、天井小梁２８の下面側には、矩形平板状の天井面材２６が取り付けられている。
【００２４】
同様に、床フレーム２０は、長辺側に配置された一対の桁側床大梁１８Ａと、短辺側に配置された一対の妻側床大梁１８Ｂと、一対の桁側床大梁１８Ａ間に架け渡された複数本の床小梁（図示省略）と、を含んで構成されている。なお、桁側床大梁１８Ａ、床側床大梁１８Ｂはいずれも溝形鋼とされており、両者を区別する必要がない場合は「床大梁１８」と称すことにする。また、床小梁の上面側には、矩形平板状の床面材２５が取り付けられている。
【００２５】
図２に示されるように、上記構成の天井大梁１６及び床大梁１８の屋外側の側面には、金属製の外壁フレーム２９と、この外壁フレーム２９の屋外側の面に固定された外壁面材３０と、を含んで構成された外壁３１が取り付けられている。外壁３１の屋内側には内壁面材３２が取り付けられている。さらに、外壁面材３０と内壁面材３２との間には断熱材３４が介装されている。
【００２６】
上述した建物ユニット１０の天井面材２６の裏面側には、空調用ダクト３６が配策されている。空調用ダクト３６は、両端が開口しており、建物ユニット１０の天井面材２６の裏面側に配設された天井小梁２８の建物上方側に配置され、第１端部３８が天井面材２６に設けられた第１引込部４０から建物ユニット１０内に引き込まれている。もう一方の端部である第２端部４２は、天井面材２６に設けられた第２引込部４４から天井大梁１６Ｂの建物下方側を通り建物ユニット１０の外壁３１から建物ユニット１０の外側に突出するように建物ユニット１０に組み付けられている。
【００２７】
上述した空調用ダクト３６は、建築現場において建物ユニット１０の据付け時に天井フレーム２２上に組み付けられる組付ダクト部としての第１ダクト部４８及び第２ダクト部５０と、建物ユニット１０の工場生産時に建物ユニット１０に予め組み付けられる据付ダクト部５２と、を主要部として構成されている。
【００２８】
第１ダクト部４８は、金属製の円管とされた外筒５６を第１屈曲部５６で屈曲させたＬ字状に形成されている。なお、第１ダクト部４８の外周部には図示しない断熱材が巻き付けられている。この第１ダクト部４８の垂直部の下端部である第１端部３８（第１ダクト部の一端部）は、天井面材２６に形成された開口である第１引込部４０から建物下方側へ向けて引き込まれている。なお、第１端部３８の建物下方側には、レンジフード５４が配設されている。また、第１ダクト部４８の水平部は天井面材２６に対して平行に配置されており、この水平部の開口端部が第１接続部５８（第１ダクト部の他端部）とされている。
【００２９】
一方、第２ダクト部５０は、金属製の円管とされた外筒４６を第２屈曲部７０で屈曲させたＬ字状に形成されている。なお、第１ダクト部４８の外周部には図示しない断熱材が巻き付けられている。この第２ダクト部４８の垂直部の下端部である第２接続部７２は、天井面材２６に形成された開口である第２引込部４４に対して建物上下方向に対向して配置されている。また、第２ダクト部５０の水平部は天井面材２６に対して平行に配置されており、この水平部の開口端部が第２端部６２（第２ダクト部の一端部）とされている。この第２端部６２には、円筒状の接続部材６４の一端部が挿入されている。なお、接続部材６４の外周部の一端部側には環状の係止部６８が形成されており、第２ダクト部５０の第２端部６２内への接続部材６４の一端部の挿入時のストッパとされている。そして、接続部材６４の他端部（第２ダクト部の一端部）が、第１ダクト部４８の第１接続部５８に挿入されている。これにより、第１ダクト部４８と第２ダクト部５０とが接続部材６４を介して接続されている。
【００３０】
据付ダクト部５２は、建物ユニット１０の壁に取り付けられている。具体的に説明すると、据付ダクト部５２は、円管をＬ字状に屈曲させた形状のエルボ部７８と、直管部８０と、によって構成されており、金属製とされている。エルボ部７８の上端部には縮径された円筒状の嵌合部７６が一体に形成されている。この嵌合部７６が第２引き込み部４４を天井面材２６の下方側から上方側へ向けて垂直に貫通している。そして、嵌合部７６に第２ダクト部５０の第２接続部７２（第２ダクト部の他端部）が天井面材２６の上方側から嵌合されることで、第２ダクト部５０と据付ダクト部５２とが接続されている。
【００３１】
上記エルボ部７８の下端部には直管部８０の基端部が接続されている。直管部８０は、水平に配置されて前述した外壁３１を貫通し、更に建物ユニット１０の外側へ水平に突出されている。そして、この直管部８０の先端部を覆うように、外部フード８２が取り付けられている。なお、外部フード８２の取付は直管部８０の先端部に対してなされてもよいし、外壁面材３０に対してなされてもよい。また、直管部８０の取付高さは、予め決められており、下げることはできない。
【００３２】
また、建物ユニット１０内には、据付ダクト部５２を収納する凹部８６（収納部）を備えた室内造作物としての天井吊戸棚８４が配設されている。この天井吊戸棚８４の上部は階段状に形成されており、上部に形成された凹部８６が内壁面材３２側を向くように内壁面材３２に固定されている。凹部８６は、据付ダクト部５２のエルボ部７８の露出部分を収容可能な大きさを有しており、天井吊戸棚８４の取付後の状態では凹部８６内にエルボ部７８の露出部分が収容されている。従って、天井吊戸棚８４の扉の開閉に関わらず、エルボ部７８が建物ユニット１０の居室側に露見することはない。
【００３３】
また、上述した空調用ダクト３６の下方側には、第１スペーサ６０及び第２スペーサ７４が配設されている。第１スペーサ６０は、第１ダクト部４８側に配置されており、隣り合う天井小梁２８上に架け渡されて天井小梁２８と第１ダクト部４８の水平部との間に介在されている。第２スペーサ７３は、第２ダクト部５０側に配置されており、隣り合う天井小梁２８上に架け渡されて天井小梁２８と第２ダクト部５０との間に介在されている。第２スペーサ７４の厚さは、第１スペーサ６０の厚さよりも薄く設定されている。これにより、排気の流れと同じ方向である第１ダクト部４８から第２ダクト部５０に向かって０．５パーセント程度の下り勾配が設定されている。
【００３４】
次に、本実施形態に係る空調用ダクト３６の建物ユニット１０への設置方法について説明する。
【００３５】
空調用ダクト３６を構成する第１ダクト部４８（接続部材６４を含む）、第２ダクト部５０及び据付ダクト部５２は、建物ユニット１０とは別に、予め工場内でサブアッセンブリ化されている。なお、サブアッセンブリ化は工場内で行ってもよいし、ダクトメーカーでサブアッセンブリ化されたものを工場内に搬入するようにしてもよい。
【００３６】
工場では、建物ユニット１０に据付ダクト部５２のみが設置される。具体的には、エルボ部７８に接続された直管部８０に外壁３１を水平に貫通させると共に、エルボ部７８の嵌合部７６に第２引込部４４を垂直に貫通させる。そして、この状態で、エルボ部７８及び直管部８０から成る据付ダクト部５２を建物ユニット１０の内方側から内壁面材３２に固定する。その後、天井吊戸棚８４を内壁面材３２に組付ける。天井吊戸棚８４を固定した状態では、凹部８６内にエルボ部７８の露出部分が覆われる。なお、エルボ部７８は、天井吊戸棚８４で下方側から当接した状態で支持されるので、必ずしもエルボ部７８を内壁面材２３に固定しなくてもよい。その後、建物ユニット１０の外側から、直管部８０の先端部に外部フード８２が組付けられる。なお、天井吊戸棚８４と外部フード８２の組付順序は逆でもよいし、外部フード８２については建築現場で組付けるようにしてもよい。
【００３７】
次いで、組み立てられた建物ユニット１０が建築現場に搬送される。このとき、建物ユニット１０の天井フレーム２２上には、空調用ダクト３６の第１ダクト部４８及び第２ダクト部５０が配索されていないので、積載物の高さ制限を問題なくクリアしている。
【００３８】
建築現場では、建物ユニット１０を含め必要個数の建物ユニットがクレーンで吊り込まれて順次据え付けられていく。この際、据付ダクト部５２が予め組付けられた建物ユニット１０は、ユニット建物の一階部分に据付けられる。そして、一階部分に据付けられた建物ユニット１０の上に二階の建物ユニットが吊り込まれる前に、空調用ダクト３６の接続作業が行われる。
【００３９】
空調用ダクト３６の接続作業に先立ち、天井フレーム２２の天井小梁２８上の所定位置に第１スペーサ６０及び第２スペーサ７４が設置される。次いで、第１スペーサ６０側では第１ダクト部４８の組付作業が行われ、第２スペーサ７４側では第２ダクト部５０の組付作業が行われる。具体的には、第１ダクト部４８の第１端部３８を第１引込部３８内へ挿入しつつ、第１ダクト部４８を第１スペーサ６０上に載置する。一方、第２ダクト部５０側では、第１引込部４４から建物上方側へ向けて突出されたエルボ部７８の嵌合部７６に、第２ダクト部５０の第２接続部７２を上から下に落とし込むようにして嵌合させると共に、第２ダクト部５０を第２スペーサ７４上に載置される。その後、第２ダクト部５０の接続部材６４の端部を第１ダクト部４８の第１接続部５８に挿入して接続する。この際の組付誤差、第１ダクト４８、第２ダクト５０の製造誤差等は、接続部材６４の端部の第１ダクト部４８の第１接続部５８内への挿入量を調節することにより吸収される。
【００４０】
なお、第１ダクト部４８及び第２ダクト部５０の外周面には、図示しない断熱材が巻き付けられる。
【００４１】
空調用ダクト３６の組付作業が終了した後に、建物ユニット１０内で第１端部３８を覆うようにレンジフード５４が天井面材２６に取り付けられる。
【００４２】
次に、本実施形態の作用並びに効果について説明する。
【００４３】
本実施形態に係る空調用ダクトの設置構造では、建物ユニット１０の外側に接続する据付ダクト部５２は、天井大梁１６Ｂの建物下方側を通り建物ユニット１０の外壁から外側に突出するように建物ユニット１０に組付けられるため、空調用ダクト３６が天井大梁１６Ｂを貫通していない。このため、建物ユニット１０の躯体フレームに強度上の影響を与えることなく空調用ダクト３６を設置することが可能である。
【００４４】
また、本実施形態では、組付ダクト部である第１ダクト部４８及び第２ダクト部５０と据付ダクト部５２は独立して建物ユニット１０への組み付けを行うことができる。このため、現場での空調用ダクト３６の組付作業効率を向上することができ、ひいては工期を短縮することができる。
【００４５】
以上を総括すると、本実施形態によれば、天井面材２６の裏面側に空調用ダクト３６が配策される場合において、建物ユニット１０の躯体フレームに影響を与えることなく、現場での組付作業効率を向上させることができる。
【００４６】
また、本実施形態によれば、第１スペーサ６０の厚さは、第２スペーサ７４の厚さよりも厚くされて空調用ダクト３６と天井小梁２８との間に配置されている。これにより、第１ダクト部４８及び第２ダクト部５０を建物上方側に引き上げるための治具等を設けることなく、第１ダクト部４８から第２ダクト部５０に向けて下り勾配が設けられる。このため、建物ユニット１０の内部で引き込まれ、第１ダクト部４８に吸い込まれた排気は、第１ダクト部４８、第２ダクト部５０及び据付ダクト部５２を経て建物ユニット１０の外部へ排気される。これにより、建物ユニット１０の内部から排出された水分及び油分を含む排気が空調用ダクト３６内で滞留又は逆流することなく建物ユニット１０の外部に安定して排出され、しかも雨水の建物ユニット１０の外部からの流入を防止することができる。また、空調用ダクト３６は、第１スペーサ６０及び第２スペーサ７４の建物上方側に配置されることから、第１スペーサ６０及び第２スペーサ７４には、空調用ダクト３６を安定して天井面材２６の建物上方側に組み付けることができるという利点もある。
【００４７】
さらに、本実施形態によれば、本実施形態によれば、建物ユニット１０の内部に露出している据付ダクト部５２を収納する天井吊戸棚８４を建物ユニット１０の内部に組み付けることにより、据付ダクト部５２を安定して支持することができ、しかも据付ダクト部５２を建物ユニット内から視認できないため建物ユニット１０内の美観を保つことができる。
【００４８】
さらに、本実施形態では、組付ダクト部である第１ダクト部４８及び第２ダクト部５０を建物ユニットの階間に配管することができ、下がり天井を設けて配管を通す必要がないため、室内の天井高さを下げることなく、室内空間を広くとることができる。
【００４９】
これらに加えて、空調用ダクト３６が、組付ダクト部である第１ダクト部４８及び第２ダクト部５０と、据付ダクト部５２に分割されており、第１ダクト部４８及び第２ダクト部５０の組付作業については建築地での現場作業とし、据付ダクト部５２については工場内で組付作業を完了させることとした。このため、最も作業時間がかかる据付ダクト部５２を建築地で行う必要がなくなり、建築地では第１ダクト部４８及び第２ダクト部５０の各々の設置作業と両者の接続作業を行えば済む。その結果、建築現場での作業時間が大幅に短縮され、現場での組付作業効率を向上させることができる。また、この場合において、建物ユニット１０の搬送時には、天井フレーム２２上に第１ダクト部４８及び第２ダクト部５０を組み付ける必要はない。従って、空調用ダクト３６を覆うカバーを設ける必要もなく、工場から建築現場への搬送時における積載物の高さ制限を満足することができる。
【００５０】
なお、本実施形態では、据付ダクト部５２を工場内で組み付けるものとして説明したが、これに限らず、建築現場で建物ユニット１０に組み付けるようにしてもよい。
【００５１】
また、本実施形態では、組付ダクト部としての第１ダクト部４８及び第２ダクト部５０は、建築現場において建物ユニット１０据付け時に組み付けられるものとして説明したが、これに限らず、積載制限を満足する場合は、工場で予め空調用ダクトのすべてを天井面材の裏面側に配策してもよい。
【００５２】
さらに、本実施形態では、天井吊戸棚８４を工場内で予め取り付けるものとして説明したが、これに限らず、建築現場で建物ユニット１０の内部に組み付けるようにしてもよい。据付ダクト部５２が建物ユニット１０に予め組み付けられている場合においては、天井吊戸棚８４を、工場で取り付ける場合と同様に比較的簡易に組み付けることができる。
【符号の説明】
【００５３】
１０   建物ユニット
１６   天井大梁
２６   天井面材
２８   天井小梁
３６   空調用ダクト
３８   第１端部（第１ダクト部の一端部）
４０   第１引込部
４４   第２引込部
４８   第１ダクト部（組付ダクト部）
５０   第２ダクト部（組付ダクト部）
５２   据付ダクト部
５８   第１接続部（第１ダクト部の他端部）
６０   第１スペーサ
６２   第２端部（第２ダクト部の一端部）
７２   第２接続部（第２ダクト部の他端部）
７４   第２スペーサ
７６   嵌合部（据付ダクト部の一端部）
７８   エルボ部
８０   直管部（据付ダクト部の他端部）
８４   天井吊戸棚（室内造作物）
８６   凹部（収納部）
【図１】
2018145628.tif 000003
【図２】
2018145628.tif 000004
【図３】
2018145628.tif 000005